【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
撮像手段と、
この撮像手段を設定された露出時間で単一回露出させて取得した画像データを出力する第１の撮像処理手段と、
前記撮像手段を前記設定された露出時間よりも短い露出時間で連続して露出させて取得された画像データを順次出力する第２の撮像処理手段と、
この第２の撮像処理手段によって順次出力された画像データにおける各画像の位置を合致させ、前記順次出力された画像データを加算する加算処理手段と、
手振れが生じやすい撮影条件が設定されたことを検出する設定検出手段と、
前記第２の撮像処理手段による処理を行うよう設定されていても、前記設定検出手段により手振れが生じやすい撮影条件が設定されると、前記第１の撮像処理手段による処理を行うよう設定を変更する設定変更手段と、
を備えることを特徴とする電子カメラ。
【請求項２】
前記手振れが生じやすい撮影条件とは、
（ａ）当該カメラが有するレンズの焦点距離が所定値よりも大きい場合、
（ｂ）マクロモード又は近接撮影モードが設定されている場合、
（ｃ）当該カメラのブレ量を検出する検出手段により検出されたブレ量が所定ブレ量よりも大きい場合、
の少なくとも一つの条件を含むものであることを特徴とする請求項１記載の電子カメラ。
【請求項３】
電子カメラが有するコンピュータを、
撮像部に対し設定された露出時間で単一回露出させ、取得した画像データを出力させる第１の撮像処理手段、
前記撮像部に対し前記設定された露出時間よりも短い露出時間で連続して露出させ、取得した画像データを順次出力させる第２の撮像処理手段、
この第２の撮像処理手段によって順次出力された画像データにおける各画像の位置を合致させ、前記順次出力された画像データを加算する加算処理手段、
手振れが生じやすい撮影条件が設定されたことを検出する設定検出手段、
前記第２の撮像処理手段による処理を行うよう設定されていても、前記設定検出手段によって手振れが生じやすい撮影条件が設定されると、前記第１の撮像処理手段による処理を行うよう設定を変更する設定変更手段、
として機能させることを特徴とするプログラム。
【請求項４】
撮像部に対し設定された露出時間で単一回露出させ、取得した画像データを出力させる第１の撮像処理ステップと、
前記撮像部に対し前記設定された露出時間よりも短い露出時間で連続して露出させ、取得した画像データを順次出力させる第２の撮像処理ステップと、
この第２の撮像処理ステップにて順次出力された画像データにおける各画像の位置を合致させ、前記順次出力された画像データを加算する加算処理ステップと、
手振れが生じやすい撮影条件が設定されたことを検出する設定検出ステップと、
前記第２の撮像処理ステップの処理を行うよう設定されていても、前記設定検出ステップにて手振れが生じやすい撮影条件が設定されると、前記第１の撮像処理ステップの処理を行うよう設定を変更する設定変更ステップと、
を含むことを特徴とする撮像制御方法。
【手続補正２】
【補正対象書類名】明細書
【補正対象項目名】０００５
【補正方法】変更
【補正の内容】
【０００５】
前記課題を解決するために請求項１記載の発明は、撮像手段と、この撮像手段を設定された露出時間で単一回露出させて取得した画像データを出力する第１の撮像処理手段と、 前記撮像手段を前記設定された露出時間よりも短い露出時間で連続して露出させて取得された画像データを順次出力する第２の撮像処理手段と、この第２の撮像処理手段によって順次出力された画像データにおける各画像の位置を合致させ、前記順次出力された画像データを加算する加算処理手段と、手振れが生じやすい撮影条件が設定されたことを検出する設定検出手段と、前記第２の撮像処理手段による処理を行うよう設定されていても、前記設定検出手段により手振れが生じやすい撮影条件が設定されると、前記第１の撮像処理手段による処理を行うよう設定を変更する設定変更手段と、を備えることを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
また、請求項２記載の発明は、上記請求項１記載の発明において、前記手振れが生じやすい撮影条件とは、
（ａ）当該カメラが有するレンズの焦点距離が所定値よりも大きい場合、
（ｂ）マクロモード又は近接撮影モードが設定されている場合、
（ｃ）当該カメラのブレ量を検出する検出手段により検出されたブレ量が所定ブレ量よりも大きい場合、
の少なくとも一つの条件を含むものであることを特徴とする。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】変更
【補正の内容】
【００３０】
また、請求項３記載の発明は、電子カメラが有するコンピュータを、撮像部に対し設定された露出時間で単一回露出させ、取得した画像データを出力させる第１の撮像処理手段、前記撮像部に対し前記設定された露出時間よりも短い露出時間で連続して露出させ、取得した画像データを順次出力させる第２の撮像処理手段、この第２の撮像処理手段によって順次出力された画像データにおける各画像の位置を合致させ、前記順次出力された画像データを加算する加算処理手段、手振れが生じやすい撮影条件が設定されたことを検出する設定検出手段、前記第２の撮像処理手段による処理を行うよう設定されていても、前記設定検出手段によって手振れが生じやすい撮影条件が設定されると、前記第１の撮像処理手段による処理を行うよう設定を変更する設定変更手段、として機能させることを特徴とする。
【手続補正２８】
【補正対象書類名】明細書
【補正対象項目名】００３１
【補正方法】変更
【補正の内容】
【００３１】
また、請求項４記載の発明は、撮像部に対し設定された露出時間で単一回露出させ、取得した画像データを出力させる第１の撮像処理ステップと、前記撮像部に対し前記設定された露出時間よりも短い露出時間で連続して露出させ、取得した画像データを順次出力させる第２の撮像処理ステップと、この第２の撮像処理ステップにて順次出力された画像データにおける各画像の位置を合致させ、前記順次出力された画像データを加算する加算処理ステップと、手振れが生じやすい撮影条件が設定されたことを検出する設定検出ステップと、前記第２の撮像処理ステップの処理を行うよう設定されていても、前記設定検出ステップにて手振れが生じやすい撮影条件が設定されると、前記第１の撮像処理ステップの処理を行うよう設定を変更する設定変更ステップと、を含むことを特徴とする。
【手続補正２９】
【補正対象書類名】明細書
【補正対象項目名】００３２
【補正方法】変更
【補正の内容】
【００３２】
本発明によれば、無用に加算処理が実行されて画像に必然性なくノイズが発生する不都合を回避することができる。